(57)【要約】【課題】持ち運び可能で、簡易に使用できるエア吸引式のドライバを提供する。【解決手段】全長にわたって軸心を貫通する通気孔１４を有し、かつ先端部にねじ１６頭部の凹溝に係合する穂先２０を有するドライバビット２２と、ドライバビット２２の基端部を着脱自在に結合するチャック２４と、チャック２４に一体に連設され、通気孔１４に連通するエア通路２６を介してエアを吸引するエア吸引手段２８とを備えている。エア吸引手段２８は、エア吸引を行う真空ポンプ３０と、このポンプを駆動するモータ３２と、このモータを稼働する電池とを備えている。ドライバビット２２の先端部の周囲に、端面がねじ頭部１８に当接する、柔軟材質の筒状体からなる気密保持部材３６を設けている。ドライバビットの基端部の周囲には、端面がエア吸引手段に当接する、柔軟材質の筒状体からなる気密保持部材３４を設けている。【選択図】図１
2006130623.tif 000002
【特許請求の範囲】
【請求項１】
全長にわたって軸心を貫通する通気孔を有し、かつ先端部にねじ頭部の凹溝に係合する穂先を有するドライバビットと、
前記ドライバビットの基端部を着脱自在に結合するチャックと、
前記チャックに一体に連設され、前記通気孔に連通するエア通路を介してエアを吸引するエア吸引手段とを備えたことを特徴とするドライバ。
【請求項２】
全長にわたって軸心を貫通する通気孔を有し、かつ先端部にねじ頭部の凹溝に係合する穂先を有するドライバビットと、
前記ドライバビットの基端を着脱自在に結合するチャックと、
前記チャックに一体に連設され、前記通気孔に連通するエア通路を介してエアを吸引するエア吸引手段と、
前記エア吸引手段と一体に連設され、前記ドライバビットを回転駆動するモータとを備えたことを特徴とするドライバ。
【請求項３】
請求項１又は２に記載のドライバにおいて、
前記エア吸引手段は、エア吸引を行うポンプと、このポンプを駆動するモータと、このモータを稼働する電池とを備えたものであることを特徴とするドライバ。
【請求項４】
請求項１又は２に記載のドライバにおいて、
前記ドライバビットの先端部の周囲に、端面が前記ねじ頭部に当接する、柔軟材質の筒状体からなる気密保持部材を設けたことを特徴とするドライバ。
【請求項５】
請求項１又は２に記載のドライバにおいて、
前記ドライバビットの基端部の周囲に、端面が前記エア吸引手段に当接する、柔軟材質の筒状体からなる気密保持部材を設けたことを特徴とするドライバ。
【発明の詳細な説明】
【技術分野】
【０００１】
本発明は、ねじをドライバビットの先端に吸着するもので、特に、ねじ取付け位置が離れている場合のねじの締付け等に使用するのに好適なドライバに関する。
【背景技術】
【０００２】
作業者の手が入らない狭隘な間隙の奥にねじ取付け箇所がある場合に、ねじを、ドライバビットの先端に保持した状態で取付け箇所まで移送させてねじ締めを行うことがある。
このような場合のねじ締付け等のために、従来からドライバビットの穂先にねじを保持できるドライバがある。例えば、ドライバビットの先端部に吸引孔を設け、この吸引孔内の、ドライバビット基端側を減圧することにより、ドライバビットの先端にねじを吸着するものである（特許文献１参照）。吸引孔内を減圧させるには吸引ポンプを使用している。
【０００３】
このようなドライバは、ドライバビットの穂先を磁化させてねじを磁力吸着させるものではないので、ハードウエア等の磁力を嫌う製品のねじ締めにも使用できるという利点がある。
【特許文献１】特開平９−１３１６６８号公報
【発明の開示】
【発明が解決しようとする課題】
【０００４】
ところで、上記の技術には、次のような解決すべき課題があった。
従来のドライバに使用されている、吸引孔内を減圧させるための吸引ポンプは、ドライバビットと分離されて設置され、配管を介してドライバビットの吸引孔に連結されている。このため、場所を変えて使用する場合等にその都度、組み立てなければならなかった。
【０００５】
本発明は、以上の点に着目してなされたもので、持ち運び可能で、簡易に使用できるエア吸引式のドライバを提供することを目的とする。
【課題を解決するための手段】
【０００６】
本発明の各実施例においては、それぞれ次のような構成により上記の課題を解決する。
〈構成１〉
全長にわたって軸心を貫通する通気孔を有し、かつ先端部にねじ頭部の凹溝に係合する穂先を有するドライバビットと、上記ドライバビットの基端部を着脱自在に結合するチャックと、上記チャックに一体に連設され、上記通気孔に連通するエア通路を介してエアを吸引するエア吸引手段とを備えたことを特徴とするドライバ。
【０００７】
チャックとエア吸引手段とが一体に連設されているため、ドライバビットをチャックに結合するだけで、直ちにねじ締付け等に使用できる。持ち運びながら使用するのに最適である。
【０００８】
〈構成２〉
全長にわたって軸心を貫通する通気孔を有し、かつ先端部にねじ頭部の凹溝に係合する穂先を有するドライバビットと、上記ドライバビットの基端を着脱自在に結合するチャックと、上記チャックに一体に連設され、上記通気孔に連通するエア通路を介してエアを吸引するエア吸引手段と、上記エア吸引手段と一体に連設され、上記ドライバビットを回転駆動するモータとを備えたことを特徴とするドライバ。
【０００９】
構成１と同効果を奏すると共に、ねじ回しも電動で簡易に行うことができる。
【００１０】
〈構成３〉
構成１又は２に記載のドライバにおいて、上記エア吸引手段は、エア吸引を行うポンプと、このポンプを駆動するモータと、このモータを稼働する電池とを備えたものであることを特徴とするドライバ。
【００１１】
エア吸引手段を手元で操作することができ、持ち運びが容易である。
【００１２】
〈構成４〉
構成１又は２に記載のドライバにおいて、上記ドライバビットの先端部の周囲に、端面が上記ねじ頭部に当接する、柔軟材質の筒状体からなる気密保持部材を設けたことを特徴とするドライバ。
【００１３】
穂先とねじ間の気密が保たれ、所定のねじ吸引力を保持できる。
【００１４】
〈構成５〉
構成１又は２に記載のドライバにおいて、上記ドライバビットの基端部の周囲に、端面が上記エア吸引手段に当接する、柔軟材質の筒状体からなる気密保持部材を設けたことを特徴とするドライバ。
【００１５】
ドライバビットの基端部とエア吸引手段との間の気密が保たれ、所定のねじ吸引力を保持できる。
【発明を実施するための最良の形態】
【００１６】
以下、本発明の実施の形態を説明する。
【実施例１】
【００１７】
図１は実施例１のドライバを一部断面で示す側面図、図２は同ドライバの一部を拡大して示す側面図である。
図１において、実施例１のドライバは、軸心を貫通する通気孔１４を有するドライバビット２２と、このドライバビット２２の基端部を着脱自在に結合するチャック２４と、このチャック２４に一体に連設されたエア吸引手段２８とを備えている。
【００１８】
ドライバビット２２は、通気孔１４が基端部から先端部に至る全長にわたって設けられ、先端部にはねじ１６の頭部１８の凹溝（プラス溝）に係合する穂先２０を有している。なお、ドライバビット２２としては、穂先２０を含む先端部と、ビット本体となる管体とを別々に製作し、これらを直列に接合し溶接等で連結したものでもよい。この場合、先端部のみに軸心を貫通する孔を穿設すればよいので、全長にわたる通気孔１４を簡単に形成することができる。
【００１９】
チャック２４は、径方向に縮拡変位してドライバビット２２の基端部周囲を挟んで押える押え部品２４Ａと、その外周に螺合されて押え部品を締付けるナット状部品２４Ｂとから構成されている。詳述すると、押え部品２４Ａは、円筒体の周囲数ヶ所に一端側に開口するスリットを設け、かつ外周面にねじ溝を形成したものである。ナット状部品２４は、内周面に押え部品２４Ａのねじ溝に螺合可能なねじ溝を形成したもので、押え部品２４Ａにねじ込んだとき、押え部品２４Ａのスリット端を内方に撓ませるものである。チャック２４としては、ドライバビット２２を回転トルクに耐えられる程度に押圧できる、周知構造のものでよい。
【００２０】
エア吸引手段２８は、通気孔１４に連通するエア通路２６を介してエアを吸引する真空ポンプ３０と、この真空ポンプ３０を駆動するモータ３２と、このモータを稼働する電池３３とを備えたものである。真空ポンプ３０、モータ３２及び電池３３は、できる限り小型のものが用いられ、エア吸引手段２８の外面がドライバの把手として使用できるようにされている。
【００２１】
ドライバビット２２の基端部に、例えば、ウレタン樹脂等の柔軟材質の筒状体からなる気密保持部材３４が設けられている。
また、図２にも示すように、ドライバビット２２の先端部に、例えば、スポンジ状の発泡ウレタン樹脂等の柔軟材質の筒状体からなる気密保持部材３６が設けられている。この気密保持部材３６は、例えば、外径が１０〜１２ｍｍの場合、内径がドライバビット２２の外径より１ｍｍ程度小さく、長さが３０〜５０ｍｍのものとなる。
【００２２】
上記した実施例１のドライバは、使用する際には図示したように、ドライバビット２２の穂先２０にねじ１６の頭部を当接させ、真空ポンプ３０を駆動してエア通路２６を通じて通気孔１４からエア吸引を行って穂先２０にねじ１６を吸着させる。この状態でねじ１６を所定のねじ取付け箇所に移動して手動にてねじ締めを行う。
【００２３】
このとき、気密保持部材３４はその一端面がエア吸引手段２８のエア通路２６の開口部に当接して気密性を保持し、他方の気密保持部材３６はその一端面がねじ頭部１８に当接して気密性を保持している。気密保持部材３６は、その当接端面が長期間の使用等によりねじ頭部１８との気密性が損なわれてきたとき、当該端面を部分的に切除して再使用するということを繰返すことができる。
【実施例２】
【００２４】
図３は実施例２のドライバを示す側面図であり、図１と同じ部分には同一符号を付している。
図３に示すように、実施例２のドライバは、全体的に銃型をなし、ドライバビットを回転駆動するモータを備えている。すなわち、全長にわたって軸心を貫通する通気孔を有し、かつ先端部にねじ頭部の凹溝に係合する穂先２０を有するドライバビット２２と、このドライバビット２２の基端部を着脱自在に結合するチャック２４と、チャック２４に一体に連設されたエア吸引手段２８と、エア吸引手段２８と一体に連設され、かつドライバビット２２を回転駆動するモータ（図示せず）とを備えたものである。
【００２５】
ドライバビット２２とチャック２４とエア吸引手段２８は、実施例１の場合と構成、機能が実質的に同じである。実施例２のドライバには、エア吸引手段２８の側面に、把手４０と引金式のスイッチ４２が設けられている。把手４０内に、エア吸引手段２８の構成の一部を収容してもよい。エア吸引手段２８のモータと、ドライバビット２２を回転駆動するモータとを１台のモータで兼用した構成としてもよい。
【００２６】
スイッチ４２は、エア吸引手段２８のポンプを駆動するモータと、ドライバビット２２を回転駆動するモータとを駆動させる各スイッチに連動している。例えば、スイッチ４２を軽く引くことによって、エア吸引手段２８のモータが作動してエア吸引を開始する。さらに、スイッチ４２を強く引くことによって、ドライバビット２２を回転駆動するモータを駆動させるように設定されている。
【００２７】
このようにスイッチ４２の操作だけで、エア吸引の作動を行わせ、さらにドライバビット２２の回転駆動を行わせることができるが、実施例２のドライバにおいては、エア吸引手段２８のポンプを駆動するモータのスイッチと、ドライバビット２２を回転駆動するモータとを駆動させるスイッチとを、連動しないで別々に設けたものも含むものである。
【００２８】
上記したように、本発明のドライバは、ねじ１６をドライバビット２２の穂先２０に吸引保持できるものであって、チャック２４とエア吸引手段２８とが一体に連設されているため、ドライバビット２２をチャック２４に結合するだけで、直ちにねじ締付け等に使用でき、持ち運びながら使用できる。
【図面の簡単な説明】
【００２９】
【図１】実施例１のドライバを一部断面で示す側面図。
【図２】同ドライバの一部を拡大して示す側面図。
【図３】実施例２のドライバを示す側面図。
【符号の説明】
【００３０】
１４  通気孔
１６  ねじ
１８  ねじ頭部
２０  穂先
２２  ドライバビット
２４  チャック
２６  エア通路
２８  エア吸引手段
３０  ポンプ
３２  モータ
３３  電池
【図１】
2006130623.tif 000003
【図２】
2006130623.tif 000004
【図３】
2006130623.tif 000005